(57)【要約】      （修正有）【課題】液体を収納可能な包装容器において、詰め替えに伴うこぼれなどの困難を伴うこともなく、ボトル容器を使い捨てにする場合に比べて廃棄物の削減が可能で、容易かつ安定して内容物を注出する作業を行なうことができる、ポンプディスペンサ付き液体容器を提供する。【解決手段】支持部材の、液体容器底面に接する部分には、側面に複数のスリットを設けた脚端部が設けられ、脚端部は、底面に達してさらに上方から押し込まれて、スリットによって放射状に開いて、支持部材およびポンプ部１０を下方から支えることができ、ポンプディスペンサは、ポンプヘッド１を下方へ向かって押し下げることにより、脚端部と液体容器本体６０内面との間隙からの内容液の吸引、ポンプ部１０への送り出しによって、液体容器外部への内容液のくみ出しが可能となる機構で構成されていることを特徴とする、ポンプディスペンサ付き液体容器。【選択図】図１
2019199292.tif 000002
【特許請求の範囲】
【請求項１】
ポンプディスペンサ取り付け口を有する液体容器本体、およびプラスチック部材からなるポンプディスペンサとから構成される、ポンプディスペンサ付き液体容器であって、
該液体容器本体は、表側胴部および後ろ側胴部、および底面を有して製袋されており、
該ポンプディスペンサは、該液体容器本体の上部に形成されたポンプディスペンサ取り付け口の貫通孔に挿入されて、液体容器本体側の取り付け口と、ポンプディスペンサ側の取り付け部とによって着脱可能に固定されて、ポンプディスペンサ付き液体容器を構成し、
該ポンプディスペンサは、ポンプ部および支持部材から構成されており、
該ポンプ部は、上部にポンプヘッドと、それに接続するピストン、およびシリンダ部を備えており、
該支持部材は、ポンプディスペンサが液体容器本体に取り付けられた状態において、液体容器本体の内部に配置され、取り付け口から下方に延伸しており、
該支持部材の、液体容器底面に接する部分には、側面に複数のスリットを設けた脚端部が設けられ、
該脚端部は、底面に達してさらに上方から押し込まれて、スリットによって放射状に開いて、支持部材およびポンプ部を下方から支えることができ、
該ポンプディスペンサは、ポンプヘッドを鉛直方向下方へ向かって押し下げることにより、脚端部と液体容器本体内面との間隙からの内容液の吸引、ポンプ部への送り出しによって、液体容器外部への内容液のくみ出しが可能となる機構で構成されていることを特徴とする、ポンプディスペンサ付き液体容器。
【請求項２】
前記脚端部が放射状に開いたときの外径は、前記液体容器本体の前側胴部、および後ろ側胴部の容器内側での間隔より、小さいことを特徴とする、請求項１に記載のポンプディスペンサ付き液体容器。
【請求項３】
前記脚端部が放射状に開いたときの外径は、支持部材の外径より大きいことを特徴とする、請求項１または請求項２に記載のポンプディスペンサ付き液体容器。
【請求項４】
前記脚端部が放射状に開いたときの支持部材の長さは、液体容器本体の内側高さと略同等であることを特徴とする、請求項１〜請求項３のいずれかに記載のポンプディスペンサ付き液体容器。
【請求項５】
前記脚端部が放射状に開いたときの脚部長さは、５ｍｍ以上であることを特徴とする、請求項１〜請求項４のいずれかに記載のポンプディスペンサ付き液体容器。
【請求項６】
前記脚端部に設けられたスリットの上側には、折り曲げ部を設けてあることを特徴とする、請求項１〜請求項５のいずれかに記載のポンプディスペンサ付き液体容器。
【請求項７】
前記脚端部には、内容液を吸引可能に切り欠き、または貫通孔が設けてあることを特徴とする、請求項１〜請求項６のいずれかに記載のポンプディスペンサ付き液体容器。
【請求項８】
前記脚端部の、放射状に開く脚部先端の内側の、円弧の稜線、および角部のいずれかひとつ、もしくは両方が丸みを帯びていることを特徴とする、請求項１〜請求項７のいずれかに記載のポンプディスペンサ付き液体容器。
【請求項９】
前記ポンプ部、および支持部材の座屈強度は、４０Ｎ以上であることを特徴とする、請求項１〜請求項８のいずれかに記載のポンプディスペンサ付き液体容器。
【請求項１０】
前記支持部材の断面形状は、多角形であることを特徴とする、請求項１〜請求項９のいずれかに記載のポンプディスペンサ付き液体容器。
【請求項１１】
前記液体容器本体は、角底ガゼット包装袋、または底テープを有して船底形底シール部を有する包装袋であり、自立性を有することを特徴とする、請求項１〜請求項１０のいずれかに記載のポンプディスペンサ付き液体容器。
【発明の詳細な説明】
【技術分野】
【０００１】
本発明は、ポンプディスペンサ付き液体容器に関するものである。特にポンプディスペンサ付きボトル容器を使い捨てにして廃棄物とすることなく、ボトル容器の廃棄物を削減する目的で、包装袋の内容物をボトル容器に移し替えて使用してしようとする際の、移し替えに伴うこぼれや汚染などの困難を伴うこともなく、ボトル容器に比べて廃棄物を削減可能で、容易かつ安定して内容物を注出することができる、ポンプディスペンサ付き液体容器に関するものである。
【背景技術】
【０００２】
容器本体と、容器本体の上部に形成された貫通孔に挿入して取り付けられた、ポンプヘッドを押圧することにより、内容液をくみ出すことのできるポンプディスペンサを備えた包装容器が知られている。
【０００３】
このような機構の包装容器としては、シャンプーやコンディショナー、また液体石鹸や水歯磨きなどのトイレタリー用品、あるいは台所用洗剤などにも用いられており、プラスチックボトルにポンプディスペンサを取り付けたものが商品化されて広く用いられている。
【０００４】
最近では、環境問題などを背景としてプラスチックボトルの使い捨てによる、大量の廃棄物の削減を目的として、詰替用の包装袋が提案され、プラスチックボトルを再利用する動きが定着しつつある。これによって、プラスチック廃棄物の大幅な削減が可能となった。
【０００５】
しかしながら、実際の移し替えに際しては、詰替用の包装袋がプラスチックフィルムを基材とした包装袋であるために、作業が煩雑で不安定であることに加えて、内容物のこぼれや周囲の汚染、手指への内容物の付着、衣服への汚染、といった問題が消費者を悩ませてきた。
【０００６】
特許文献１には、ポンプディスペンサを取り付けた包装袋、あるいはこの包装袋をささえて保持するホルダーとからなる包装体が提案されているが、詰め替えの作業を省き、廃棄物は包装袋の部分のみである点では、評価できるが、包装体の形状維持、あるいは包装袋の安定した自立には十分ではなく、別パーツとしてホルダーを準備する必要があるなど、満足できるものではなかった。
【先行技術文献】
【特許文献】
【０００７】
【特許文献１】特開２０１５−４２５５３号公報
【発明の概要】
【発明が解決しようとする課題】
【０００８】
本発明はかかる状況に鑑みてなされたものであり、液体を収納可能な包装容器において、詰め替えに伴うこぼれなどの困難を伴うこともなく、詰め替え用の容器や、ボトル容器を使い捨てにする場合に比べて廃棄物の削減が可能で、容易かつ安定して内容物を注出する作業を行なうことができる、ポンプディスペンサ付き液体容器を提供することを課題とする。
【課題を解決するための手段】
【０００９】
上記の課題を解決するための手段として、請求項１に記載の発明は、
ポンプディスペンサ取り付け口を有する液体容器本体、およびプラスチック部材からなるポンプディスペンサとから構成される、ポンプディスペンサ付き液体容器であって、
該液体容器本体は、表側胴部および後ろ側胴部、および底面を有して製袋されており、
該ポンプディスペンサは、該液体容器本体の上部に形成されたポンプディスペンサ取り付け口の貫通孔に挿入されて、液体容器本体側の取り付け口と、ポンプディスペンサ側の取り付け部とによって着脱可能に固定されて、ポンプディスペンサ付き液体容器を構成し、
該ポンプディスペンサは、ポンプ部および支持部材から構成されており、
該ポンプ部は、上部にポンプヘッドと、それに接続するピストン、およびシリンダ部を備えており、
該支持部材は、ポンプディスペンサが液体容器本体に取り付けられた状態において、液体容器本体の内部に配置され、取り付け口から下方に延伸しており、
該支持部材の、液体容器底面に接する部分には、側面に複数のスリットを設けた脚端部が設けられ、
該脚端部は、底面に達してさらに上方から押し込まれて、スリットによって放射状に開いて、支持部材およびポンプ部を下方から支えることができ、
該ポンプディスペンサは、ポンプヘッドを鉛直方向下方へ向かって押し下げることにより、脚端部と液体容器本体内面との間隙からの内容液の吸引、ポンプ部への送り出しによって、液体容器外部への内容液のくみ出しが可能となる機構で構成されていることを特徴とする、ポンプディスペンサ付き液体容器である。
【００１０】
また、請求項２に記載の発明は、
前記脚端部が放射状に開いたときの外径は、前記液体容器本体の前側胴部、および後ろ側胴部の容器内側での間隔より、小さいことを特徴とする、請求項１に記載のポンプディスペンサ付き液体容器である。
【００１１】
また、請求項３に記載の発明は、
前記脚端部が放射状に開いたときの外径は、支持部材の外径より大きいことを特徴とする、請求項１または請求項２に記載のポンプディスペンサ付き液体容器である。
【００１２】
また、請求項４に記載の発明は、
前記脚端部が放射状に開いたときの支持部材の長さは、液体容器本体の内側高さと略同等であることを特徴とする、請求項１〜請求項３のいずれかに記載のポンプディスペンサ付き液体容器である。
【００１３】
また、請求項５に記載の発明は、
前記脚端部が放射状に開いたときの脚部長さは、５ｍｍ以上であることを特徴とする、請求項１〜請求項４のいずれかに記載のポンプディスペンサ付き液体容器である。
【００１４】
また、請求項６に記載の発明は、
前記脚端部に設けられたスリットの上側には、折り曲げ部を設けてあることを特徴とする、請求項１〜請求項５のいずれかに記載のポンプディスペンサ付き液体容器である。
【００１５】
また、請求項７に記載の発明は、
前記脚端部には、内容液を吸引可能に切り欠き、または貫通孔が設けてあることを特徴とする、請求項１〜請求項６のいずれかに記載のポンプディスペンサ付き液体容器である。
【００１６】
また、請求項８に記載の発明は、
前記脚端部の、放射状に開く脚部先端の内側の、円弧の稜線、および角部のいずれかひとつ、もしくは両方が丸みを帯びていることを特徴とする、請求項１〜請求項７のいずれかに記載のポンプディスペンサ付き液体容器である。
【００１７】
また、請求項９に記載の発明は、前記ポンプ部、および支持部材の座屈強度は、４０Ｎ以上であることを特徴とする、請求項１〜請求項８のいずれかに記載のポンプディスペンサ付き液体容器である。
【００１８】
また、請求項１０に記載の発明は、
前記支持部材の断面形状は、多角形であることを特徴とする、請求項１〜請求項９のいずれかに記載のポンプディスペンサ付き液体容器である。
【００１９】
また、請求項１１に記載の発明は、
前記液体容器本体は、角底ガゼット包装袋、または底テープを有して船底形底シール部を有する包装袋であり、自立性を有することを特徴とする、請求項１〜請求項１０のいずれかに記載のポンプディスペンサ付き液体容器である。
【発明の効果】
【００２０】
本発明によれば、液体を収納可能な液体容器において、詰め替えに伴うこぼれなどの困難を伴うこともなく、詰め替え用の容器や、ボトル容器を使い捨てにする場合に比べて廃棄物の削減が可能で、容易かつ安定して内容物を注出する作業を行なうことができる、ポンプディスペンサ付き液体容器を提供することが可能である。
【００２１】
特に請求項２に記載の発明によれば、脚端部が放射状に開いたときの外径が、液体容器本体の前側胴部、および後ろ側胴部の容器内側での間隔より、小さいことによって、開いた脚端部が底面に安定して接触することができる。
【００２２】
また、放射状に開いた脚端部が、前側胴部、および後ろ側胴部の内側表面に接触して、容器の自立性に影響を与えることなく、したがって支持部材、およびポンプ部を下方から安定して支えることに効果的である。
【００２３】
特に請求項３に記載の発明によれば、脚端部が放射状に開いたときの外径が、支持部材の外径より大きいことによって、より安定した支持構造になるため、支持部材、およびポンプ部を下方から安定して支えることに効果的である。
【００２４】
特に請求項４に記載の発明によれば、脚端部が放射状に開いたときの支持部材の長さは、液体容器本体の内側高さと略同等であることであることによって、包装容器本体にポンプディスペンサを装着して、脚端部を放射状に開いたときに、包装容器本体の形状に影響を与えることがないために、自立性を損なうこともなくまた注出作業をより安定して行なうことができる。
【００２５】
特に請求項５に記載の発明によれば、脚端部が放射状に開いたときの脚部長さは、５ｍｍ以上であることによって、より安定した支持構造になるため、支持部材、およびポンプ部を下方から安定して支えることに効果的である。
【００２６】
特に請求項６に記載の発明によれば、脚端部に設けられたスリットの上側には、折り曲げ部を設けてあることによって、脚端部が底面に接した後、放射状に開く際により容易かつ安定して開くことに効果的である。
【００２７】
特に請求項７に記載の発明によれば、脚端部には、切り欠き、または貫通孔が設けてあ
ることによって、内溶液の注出に際して内容液のより確実、かつ安定した吸引が可能になる。
【００２８】
特に請求項８に記載の発明によれば、脚端部の、放射状に開く脚部先端の内側の、円弧の稜線、および角部のいずれかひとつ、もしくは両方が丸みを帯びていることによって、液体容器の底面に引っかかるなどすることなく、脚部がより円滑にひらき、内溶液の注出に際して内容液のより確実、かつ安定した吸引が可能になる。
【００２９】
特に請求項９に記載の発明によれば、ポンプ部、および支持部材の座屈強度は、４０Ｎ以上であることによって、内溶液の注出に際して内容液のより確実、かつ安定した吸引が可能になる。
【００３０】
特に請求項１０に記載の発明によれば、支持部材の断面形状は、多角形であることによって、デザイン性に優れた商品化が可能である。
【００３１】
特に請求項１１に記載の発明によれば、液体容器本体は、角底ガゼット包装袋、または底テープを有して船底形底シール部を有する包装袋であり、自立性を有することが可能であるために、本発明によるポンプディスペンサ付き液体容器の使い勝手のよさを実現することが可能である。
【図面の簡単な説明】
【００３２】
【図１】図１は本発明に係るポンプディスペンサ付き液体容器の一実施態様を説明するための斜視模式図である。
【図２】図２は本発明に係るポンプディスペンサ付き液体容器の一実施態様のうち、特にポンプディスペンサを詳細に説明するための斜視模式図である。
【図３】図３は本発明に係るポンプディスペンサ付き液体容器の一実施態様のうち、特にポンプディスペンサの脚端部を説明するための斜視模式図である。
【図４】図４は本発明に係るポンプディスペンサ付き液体容器の一実施態様のうち、特に脚端部が開いた状態を説明するための、ポンプディスペンサ付き液体容器を上から見た部分平面模式図である。
【図５】図５は本発明に係るポンプディスペンサ付き液体容器の一実施態様を説明するための斜視、透視模式図である。
【図６】図６は本発明に係るポンプディスペンサ付き液体容器の一実施態様のうち、特にポンプディスペンサが放射状に開くときの、脚端部の状態を説明するための斜視模式図である。
【発明を実施するための形態】
【００３３】
以下、本発明を図１〜図６を参照しながら、更に詳しい説明を加える。ただし本発明は、ここに示す例にのみ限定されるものではない。本発明は、請求項によって限定されるものである。
【００３４】
図１は本発明に係るポンプディスペンサ付き液体容器の一実施態様を説明するための斜視模式図である。
【００３５】
本発明によるポンプディスペンサ付き液体容器（１００）は、プラスチックフィルムを基材として、少なくともシーラント層を有する積層体からなる。
【００３６】
そのほか、この積層体には、内容物や商品の種類による、要求品質の応えるため、他のプラスチックフィルム層、樹脂層、金属箔層などを積層することが可能である。たとえば保存性などの向上を目的として、ガスバリア層や、容器としての機械的強度や耐突き指し
性を向上させるためのポリアミドフィルム層、内容物に関する情報を表示する印刷層などを積層することができる。
【００３７】
また、本発明によるポンプディスペンサ付き液体容器（１００）は、ポンプディスペンサ取り付け口（３１）を有する液体容器本体（６０）、およびプラスチック部材からなるポンプディスペンサとから構成される。図１に示す例においては、ポンプディスペンサのうちポンプ部（１０）のみが、液体容器本体（６０）の外にあって可視である。
【００３８】
ここで示す液体容器本体（６０）は、表側胴部（４０）および後ろ側胴部、および底面を有して、周縁部のシール部（３２）をシールされて製袋されている。図１に示す例においては、表側胴部（４０）および後ろ側胴部との間に、側面胴部（４４）を有している例である。
【００３９】
すなわちここに示す例は、角底ガゼット包装袋の例であり、自立性を有する。また後ろ側胴部、および底面は、それぞれ、液体容器本体（６０）の背面、下方に隠れており、可視ではない。
【００４０】
ポンプディスペンサは、液体容器本体（６０）の上部に形成されたポンプディスペンサ取り付け口（３１）の貫通孔に挿入されて、液体容器本体（６０）側の取り付け口（３１）と、ポンプディスペンサ側の取り付け部（４）とによって着脱可能に固定されて、ポンプディスペンサ付き液体容器（１００）を構成している。この固定はたとえば螺合によって固定することが可能である。
【００４１】
また、ポンプディスペンサが液体容器本体（６０）から着脱可能であることによって、内容物の液体の注出が終わり、液体容器本体（６０）が空の状態になったときには、新たに内容物入りの液体容器本体（６０）に装着することができる。
【００４２】
すなわち、ポンプディスペンサのみを、新たな液体容器本体（６０）に装着しなおせばよく、内容物の液体が空になった液体容器本体（６０）のみが廃棄物となる。
【００４３】
この、新たな液体容器本体（６０）への装着は、空になった液体容器本体（６０）からポンプディスペンサを引き抜き、新たな液体容器本体（６０）に支持部材を差し入れて、液体容器本体（６０）側の取り付け口（３１）に固定するというものであり、無駄がなく、きわめて容易に行なうことが可能である。
【００４４】
したがって、一般のプラスチックボトルの場合と比較して、廃棄物の量、体積の減量が可能になる。加えて、詰め替え用の包装袋からの詰め替え作業に比べて、作業の容易性に優れ、作業によるこぼれなどの無駄や周囲の汚染、手指、衣服の汚染などの困難を引きおこす恐れもない。
【００４５】
また、単に鉛直方向下方にポンプヘッドを押すだけの、ポンプディスペンサを用いて内容物の注出を行なうために、容易かつ安定して内容物の液体を注出する作業を行なうことができる。
【００４６】
すなわち、本発明において課題とするところの、液体を収納可能な包装容器において、詰め替えに伴うこぼれなどの困難を伴うこともなく、詰め替え用の容器や、ボトル容器を使い捨てにする場合に比べて廃棄物の削減が可能で、容易かつ安定して内容物の液体を注出する作業を行なうことができる、ポンプディスペンサ付き液体容器（１００）を提供することが可能である。
【００４７】
図２は本発明に係るポンプディスペンサ付き液体容器の一実施態様のうち、特にポンプディスペンサを詳細に説明するための斜視模式図である。
【００４８】
ポンプディスペンサ（５０）は、プラスチック部材からなり、ポンプ部（１０）、および支持部材（２０）から構成されている。ポンプ部（１０）は、上部にポンプヘッド（１）と、それに接続するピストン（３）、および図１においては支持部材（２０）内側に延長して内蔵された、シリンダ部（５）を備えている。
【００４９】
支持部材（２０）は、ポンプディスペンサ（５０）が、その取り付け部（４）によって液体容器本体（６０）に取り付けられた状態において、液体容器本体（６０）の内部に配置され、取り付け口（３１）から下方に延伸している。
【００５０】
支持部材（２０）は、中空の円筒状であって、その下端には脚端部（１１）が設けられている。支持部材（２０）の断面形状は、図２においては円形であるが、外側が必ずしも円形である必要はなく、たとえば多角形であってもよい。多角形の場合には、たとえばデザイン性に優れた商品化が可能である。
【００５１】
支持部材（２０）の、液体容器底面に接する部分、すなわち最下端には、側面に複数のスリット（１２）を設けた脚端部（１１）が設けられる。脚端部（１１）は、底面に達してさらに上方から押し込まれて、スリット（１２）によって放射状に開いて、支持部材（２０）およびポンプ部（１０）を下方から支えることができる。
【００５２】
したがって、液体容器本体（６０）の自立性と相俟って、ポンプディスペンサ（５０）の垂直の姿勢を保持することができるため、内容物の液体の、安定した注出を可能にする。
【００５３】
また、ポンプディスペンサ（５０）は、ポンプヘッド（１）を鉛直方向下方へ向かって押し下げることにより、脚端部（１１）と液体容器本体（６０）の底面との間隙からの内容物の液体の吸引、ポンプ部（１０）への送り出しによって、注出口（６）から、液体容器外部への、内容液の液体の注出が可能となる機構を有する。
【００５４】
特に可動部であるピストン（３）、およびシリンダ部（５）によって内溶液の吸引、注出のための圧力差を作ることができ、特にポンプヘッド（１）を、可動距離一杯に押し下げる場合には、内容物の液体の定量の注出が可能である。
【００５５】
また、本発明において、ポンプディスペンサ（５０）、すなわちポンプ部（１０）、および支持部材（２０）の座屈強度は、４０Ｎ以上とすることができる。この範囲の強度であれば、ポンプディスペンサは、通常の注出作業においては、湾曲したり変形したりすることなく、内容物の液体の注出に際して、容易かつ安定して内容物の液体を注出する作業を行なうことができる。
【００５６】
図３は本発明に係るポンプディスペンサ付き液体容器の一実施態様のうち、特にポンプディスペンサの脚端部を説明するための斜視模式図である。
【００５７】
支持部材（２０）は、ポンプディスペンサ（５０）が液体容器本体（６０）に取り付けられた状態において、液体容器本体（６０）の内部に配置され、取り付け口（１）から下方に延伸しており、支持部材（２０）の、液体容器底面に接する部分には、側面に複数のスリット（１２）を設けた脚端部（１１）が設けられている。
【００５８】
脚端部（１１）は、包装袋本体（６０）の底面に達して、さらに上方から矢印（１５）
の方向に押し込まれて、スリット（１２）が設けられているために、各々が矢印（１３）方向に放射状に開いて、支持部材（２０）、およびポンプ部（１０）を下方から支えることができる。
【００５９】
このとき、脚端部（１１）に設けられたスリット（１２）の上側には、たとえば、図３に示す例のように、折り曲げ部（２４）を設けておくことができる。この折り曲げ部（２４）を設けることによって、脚端部（１１）の下部、すなわち脚部（２８）が放射状に開く動作は、より円滑に行なわれる。
【００６０】
すなわち、この折り曲げ部（２４）は、その部分をきっかけにして、脚部（２８）が放射状に開く動作を、より容易にすることに効果的である。折り曲げ部（２４）の形成方法については特段の制約を設けるものではなく、たとえば切れ込みや凹部を設けるなどの方法を適宜選択することができる。
【００６１】
図４は本発明に係るポンプディスペンサ付き液体容器の一実施態様のうち、特に脚端部が開いた状態を説明するための、ポンプディスペンサ付き液体容器を上から見た部分平面模式図である。
【００６２】
図４に示す例において、画面下方はポンプディスペンサ付き液体容器（１００）の液体容器本体（６０）表側である。また、画面に向かって奥方向は、液体容器本体の底面（４２）であって、表側胴部積層体（２３）、および後ろ側胴部積層体（２２）に挟まれている部分である。
【００６３】
中央の十字形は支持部材（２０）の脚端部（１１）が放射状に開いた状態であって、中央部の同心円は、脚端部上面（１８）、支持部材断面（１７）、支持部材中空部（１６）を示している。
【００６４】
図４に示す例のように、脚端部が放射状に開いたときの外径（２５）は、液体容器本体（６０）の前側胴部、および後ろ側胴部の容器内側での間隔、すなわち胴部前後の間隔（２１）より、小さくすることができる。
【００６５】
これによって、放射状に開いた脚端部（１１）が底面（４２）に安定して接触することができる。また、放射状に開いたそれぞれの脚部（２８）が、前側胴部積層体（２３）、および後ろ側胴部積層体（２２）の内側表面に接触して、液体容器本体（６０）の形状や自立性に影響を与えることがない。
【００６６】
したがって支持部材（２０）、およびポンプ部（１０）を下方から安定して支えることに効果的である。すなわち、脚端部（１１）の面積の増大により支持部材（２０）の自立、および安定を両立させることが可能である。
【００６７】
さらに、脚端部が放射状に開いたときの外径（２５）が、支持部材の外径（１４）より大きい場合には、より安定した支持構造になるため、支持部材（２０）、およびポンプ部（１０）を下方から安定して支えることに効果的である。
【００６８】
また、本発明において、われわれは鋭意検討を重ねた結果、一方において脚端部（１１）が放射状に開いたときの脚部長さ（１９）は、５ｍｍ以上とする場合には、より支持部材（２０）の自立、および安定において、より効果的であることを見出した。
【００６９】
図５は本発明に係るポンプディスペンサ付き液体容器の一実施態様を説明するための斜視、透視模式図である。
【００７０】
図５に示す例においては、内容物は内容物の液体の液面（３５）まで充填されて、注出可能な状態である。またポンプディスペンサ（５０）の下部の脚端部（１１）は脚部（２８）が放射状に開いている。
【００７１】
また、ポンプディスペンサ（５０）の取り付け部（４）は、自立性を有する液体容器本体（６０）の取り付け口（３１）で連結されて、この両者が相俟ってポンプディスペンサ（５０）の自立を維持している。
【００７２】
また、ポンプディスペンサ（５０）の下部の脚端部（１１）は脚部（２８）が放射状に開いているために、脚端部（１１）の脚部（２８）と底面の間に間隙（３６）が生じており、この間隙（３６）を通して内容物の液体は、ポンプディスペンサ（５０）に吸い上げられ、注出口（６）がら、ポンプディスペンサ付き液体容器（１００）外部へ注出することができる。
【００７３】
このとき、脚端部（１１）が放射状に開いたときの支持部材（２０）の長さは、液体容器本体の内側高さ（４５）と略同等とすることができ、これによってポンプディスペンサ（５０）の高さによって液体容器本体（６０）の形状が影響を受ける恐れがなく、好ましい。
【００７４】
また、本発明について、我々は鋭意検討を重ねた結果、ポンプ部、および支持部材の座屈強度は、４０Ｎ以上であることが、容易かつ安定して内容物を注出する作業を行なうことの実現に適当であることを見出した。
【００７５】
また、支持部材の断面形状は、特段の限定を加えるものではなく、上記の座屈強度を考慮すれば、たとえば多角形とすることも可能である。
【００７６】
また、図５に示す例においては、液体容器本体は角底ガゼット包装袋とした例であるが、ほかにもたとえば、底テープを有して船底形底シール部を有する包装袋を用いることも可能であり、包装袋自体が自立性を有する範囲で、任意の形状の包装袋を用いることができる。
【００７７】
このように、図５で示す例において、本発明が課題とするところの、液体を収納可能な包装容器において、詰め替えに伴うこぼれなどの困難を伴うこともなく、詰め替え用の容器や、ボトル容器を使い捨てにする場合に比べて廃棄物の削減が可能で、容易かつ安定して内容物を注出する作業を行なうことができる、ポンプディスペンサ付き液体容器を提供することの実現が可能である。
【００７８】
図６は本発明に係るポンプディスペンサ付き液体容器の一実施態様のうち、特にポンプディスペンサが放射状に開くときの、脚端部の状態を説明するための斜視模式図である。
【００７９】
図６に示す例において、脚端部（１１）の脚部（２８）は、放射状に開いている状態である。また、ポンプディスペンサ（５０）の下部の脚端部（１１）は脚部（２８）が放射状に開いている。
【００８０】
また、脚端部（１１）の脚部（２８）と底面の間には、間隙（３６）が生じており、この間隙（３６）を通して内容物の液体は、ポンプディスペンサ（５０）に吸い上げられ、注出口（６）がら、ポンプディスペンサ付き液体容器（１００）の外部へ注出することができる状態である。
【００８１】
ここで、脚端部の、放射状に開く脚部先端の内側の、先端部内側の稜線（２７）、および脚部の角部（Ａ）のいずれか、もしくは両方に丸みを付与することができる。
【００８２】
この丸みによって、脚部（２８）を開こうとする時に、脚部の角部（Ａ）が底面（４２）に接触する際に、脚部の角部（Ａ）の丸み部分で接触することが可能となり、脚部（２８）が放射状に開く動きは滑らかになり、底面（４２）に引っかかることもなく、安定して開くことが可能になる。
【００８３】
たとえば液体容器本体（６０）を置く台が、柔らかさを持つ場合には、脚端部（１１）を押し込んで放射状に開かせようとするに際して、上方からの押し込みの力を丸みによって水平方向に転換することができるため、特に効果的である。
【００８４】
また、脚端部（１１）には、内容物の液体を吸引可能に、あるいは吸引をより容易にするための切り欠き、または貫通孔を設けることが可能である。
【００８５】
たとえば間隙（３６）が狭く、十分な吸い上げに適さない場合や、底面（４２）と間隙（３６）が接触して間隙（３６）が狭まる場合になどには、吸引可能に切り欠き、または貫通孔を設けることができる。図６に示す例は、脚端部（１１）と支持部分（２０）の接続部分に貫通孔（３７）を設けた例である。
【００８６】
しかしながら、図５に示すように脚端部（１１）の脚部（２８）が、放射状に開いている状態で、間隙（６）によって、内容物の液体の吸い込みが十分に可能である場合は、必ずしも設ける必要はない。
【００８７】
このように、本発明によれば、液体を収納可能な包装容器において、詰め替えに伴うこぼれなどの困難を伴うこともなく、詰め替え用の容器や、ボトル容器を使い捨てにする場合に比べて廃棄物の削減が可能で、容易かつ安定して内容物を注出する作業を行なうことができる、ポンプディスペンサ付き液体容器を提供することが可能である。
【実施例】
【００８８】
以下本発明を、実施例１、および実施例２によって更に具体的な説明を加える。ただし本発明は、ここに示す例にのみ限定されるものではない。本発明は、請求項によって限定されるものである。
【００８９】
本発明による、ポンプディスペンサ付き液体容器を作成して評価を行なった。
評価項目は、ポンプディスペンサの座屈、自立性、内容物注出の安定性を評価した。
【００９０】
＜実施例１＞
ポンプディスペンサ付き液体容器の性状は下記のとおりである。
【００９１】
（１）ポンプディスペンサ
支持部材直径５ｍｍ：座屈強度４２．９Ｎ
脚部長さ：５ｍｍ
（２）液体容器本体
積層体構成：延伸ポリアミドフィルム（厚さ１５μｍ）／直鎖状低密度ポリエチレン（厚さ１１０μｍ）
寸法：高さ１１０ｍｍ×幅１０５ｍｍ×底往復折込２５ｍｍ
（３）内容物液体
水２００ｍｌを充填した。
【００９２】
＜実施例２＞
ポンプディスペンサ付き液体容器の性状は下記のとおりである。
【００９３】
（１）ポンプディスペンサ
支持部材直径１１ｍｍ：座屈強度５８．５Ｎ（この部分が実施例１とは異なる）
脚部長さ：５ｍｍ
（２）液体容器本体
積層体構成：延伸ポリアミドフィルム（厚さ１５μｍ）／直鎖状低密度ポリエチレン（厚さ１１０μｍ）
寸法：高さ１１０ｍｍ×幅１０５ｍｍ×底往復折込２５ｍｍ
（３）内容物液体
水２００ｍｌを充填した。
【００９４】
評価結果は、下記のとおりである。
【００９５】
（実施例１）
ポンプディスペンサの座屈：なし。
自立性：液体容器本体、またはポンプディスペンサが斜めになるなどの異常なし。
注出：安定して行なうことができた。
【００９６】
（実施例２）
ポンプディスペンサの座屈：なし。
自立性：液体容器本体、またはポンプディスペンサが斜めになるなどの異常なし。
注出：安定して行なうことができた。
【００９７】
このように、本発明によれば、液体を収納可能な包装容器において、詰め替えに伴うこぼれなどの困難を伴うこともなく、詰め替え用の容器や、ボトル容器を使い捨てにする場合に比べて廃棄物の削減が可能で、容易かつ安定して内容物を注出する作業を行なうことができる、ポンプディスペンサ付き液体容器を提供することが可能である。
【符号の説明】
【００９８】
１・・・ポンプヘッド
２・・・注出ノズル
３・・・ピストン
４・・・取り付け部
５・・・シリンダ部
６・・・注出口
１０・・・ポンプ部
１１・・・脚端部
１２・・・スリット
１３・・・矢印
１４・・・支持部材の外径
１５・・・矢印
１６・・・支持部材中空部
１７・・・支持部材
１８・・・脚端部上面
１９・・・脚部長さ
２０・・・支持部
２１・・・胴部前後の間隔
２２・・・後ろ側胴部積層体
２３・・・表側胴部積層体
２４・・・折り曲げ部
２５・・・脚端部が放射状に開いたときの外径
２６・・・脚端部の外径
２７・・・先端部内側の稜線
２８・・・脚部
２９・・・脚部先端
３１・・・取り付け口
３２・・・シール部
３５・・・内容物の液体の液面
３６・・・間隙
４０・・・表側胴部
４２・・・底面
４４・・・側面胴部
４５・・・液体容器本体の内側高さ
５０・・・ポンプディスペンサ
６０・・・液体容器本体
１００・・・ポンプディスペンサ付き液体容器
Ａ・・・脚部の角部
【図１】
2019199292.tif 000003
【図２】
2019199292.tif 000004
【図３】
2019199292.tif 000005
【図４】
2019199292.tif 000006
【図５】
2019199292.tif 000007
【図６】
2019199292.tif 000008